(57)【特許請求の範囲】
【請求項１】
四角形の四隅を丸くした形状あるいは略円形状の可撓性を有するシート材に該シート材の中央部を挟んで略平行に２列となる配置で可撓性を有する帯状体を一体に取り付けて、その２列となった帯状体を列方向の両端側で前記シート材の周縁部への取付け位置の外方へ略同寸法延ばして閉じた輪とし、
前記シート材の周縁部に該周縁部を絞ってシート材を袋状にする締め部材を装着する絞り部を設け、
前記帯状体の各列の両端側の前記シート材の周縁部への取付け位置近傍の各１箇所と、それら周縁部への取付け位置近傍の各１箇所に間隔をおいて隣接する列方向内側の各１箇所と、前記帯状体の各列の中央部の相互に間隔をおいて隣接する各２箇所とにそれぞれ係止具を取り付け、
各係止具の係止を解いた状態では袋状で、前記帯状体の両端側の輪の部分が持ち手となり、前記帯状体の各列の両端側の前記シート材の周縁部への取付け位置近傍の各１箇所の係止具を列毎に相互に係止させ、前記列方向内側の各１箇所の係止具を列毎に各列の中央部の各２箇所の内の同じ側の係止具と相互に係止させることによってバッグ状となるようにしたことを特徴とするバッグ状にたたんで持ち運びできる買い物袋。
【発明の詳細な説明】
【技術分野】
【０００１】
本発明は、デザイン性と機能性を兼ね備えたエコバッグとして好適なバッグ状にたたんで持ち運びできる買い物袋に関する。
【背景技術】
【０００２】
スーパーマーケット等で買い物をする際に持参して何度も使用する環境に優しいエコバッグを携帯に便利なものとするために様々な試みがなされている。例えば、袋バッグに拡張用にピアノ線を縫い込み、使用時にかごの内面に簡単に広げられ、不使用時に折り畳んで携帯用外袋に収納できるようにしたものが従来から知られている（例えば、特許文献１参照。）。また、収納袋を展開した形状のシートを、多数の透孔と帯状体との間に紐を挿通することで収納袋を組み立てるようにしたものも提案されている（例えば、特許文献２参照。）。また、それとは別に、四角形の布にゴム紐などを一体化したギャザー部と結束用の紐手段を設けることで、重量物でも強固に包装して持ち運べるようにしたふろしき代用包装具（例えば、特許文献３参照。）や、風呂敷を縫製した巾着袋（例えば、特許文献４参照。）等も従来から知られている。
【特許文献１】実用新案登録第３０７２９３８号公報
【特許文献２】実用新案登録第３１３５５１１号公報
【特許文献３】実用新案登録第３１２３８９０号公報
【特許文献４】実用新案登録第３０５１３３６号公報
【発明の開示】
【発明が解決しようとする課題】
【０００３】
しかしながら、エコバッグは、買い物をした後は、大きく広げることができて、かなりの量の品物を入れることができ、様々な形の品物に対応でき、また、かなりの重量の品物を運べることが望ましく、一方、買い物をする前も、荷物として持ち運びするのではなくて、例えばバッグのような感じで持って行けることが望ましい。しかし、従来のエコバッグはいずれも、こうした要望に応えることができない。本発明は、こうした要望に応えることのできるデザイン性と機能性を兼ね備えたエコバッグとして好適なバッグ状にたたんで持ち運びできる買い物袋を提供することを目的とする。
【課題を解決するための手段】
【０００４】
本発明のバッグ状にたたんで持ち運びできる買い物袋は、四角形の四隅を丸くした形状あるいは略円形状の可撓性を有する布地等のシート材に該シート材の中央部を挟んで略平行に２列となる配置で布地等で出来た可撓性を有する帯状体を縫い付け等で一体に取り付けて、その２列となった帯状体を列方向の両端側でシート材の周縁部への取付け位置の外方へ略同寸法延ばして閉じた輪とし、シート材の周縁部に該周縁部を絞ってシート材を袋状にするゴム紐あるいは布紐等の締め部材を装着する絞り部を設け、その帯状体の各列の両端側のシート材の周縁部への取付け位置近傍の各１箇所と、それら周縁部への取付け位置近傍の各１箇所に間隔をおいて隣接する列方向内側の各１箇所と、帯状体の各列の中央部の相互に間隔をおいて隣接する各２箇所とにそれぞれスナップあるいはマジックテープ（登録商標）等の係止具を取り付け、各係止具の係止を解いた状態では袋状で、帯状体の両端側の輪の部分が持ち手となり、帯状体の各列の両端側のシート材の周縁部への取付け位置近傍の各１箇所の係止具を列毎に相互に係止させ、列方向内側の各１箇所の係止具を列毎に各列の中央部の各２箇所の内の同じ側の係止具と相互に係止させることによってバッグ状となるようにしたことを特徴とする。
【０００５】
この買い物袋は、帯状体の各列の両端側のシート材の周縁部への取付け位置近傍の各１箇所の係止具を列毎に相互に係止させ、列方向内側の各１箇所の係止具を列毎に各列の中央部の各２箇所の内の同じ側の係止具と相互に係止させることによってバッグ状となる。そして、小さな所持物はその中に入る。また、こうしてバッグ状にたたまれることでデザイン性が向上する。そのため、買い物をする前は、バッグのような感じで持って行ける。そして、買い物をした後は、大きく広げることができて、かなりの量の品物を入れることができ、様々な形の品物に対応でき、また、かなりの重量の品物を運ぶことができる。
【発明の効果】
【０００６】
このように、本発明のバッグ状にたたんで持ち運びできる買い物袋は、デザイン性と機能性を兼ね備えており、エコバッグとして好適である。
【発明を実施するための最良の形態】
【０００７】
図１〜図７は、本発明の実施形態の一例を示している。図１は買い物袋の表面側の展開図、図２は買い物袋の不使用状態の平面図、図３は買い物袋をバッグ状にたたんで置いた状態の平面図、図４は買い物袋をバッグ状にたたんで下げた状態の斜視図、図５は買い物袋に横広の大きな品物を入れた状態の斜視図、図６は買い物袋に縦形の大きな品物を入れた状態の斜視図、図７は買い物袋をレジのかごに被せた状態の斜視図である。
【０００８】
この実施形態の買い物袋は、図１に示すように、四角形の四隅を丸くした形状の例えば縦横が共に９０ｃｍ前後の布地をシート材１０として使用している。なお、図１において、シート材１０は、後述のゴム紐１４を伸ばして周縁部を完全に広げた状態で示している。そして、後述の折り返し部１３を設ける前の生地の状態のシート材１０の外形と、後述の帯状体１１を外方へ延ばした仮想状態を二点鎖線で示している。
【０００９】
シート材１０としては、略円形状に裁断した布地を使用してもよく、また、布地以外の可撓性を有する材料を使用してもよい。
【００１０】
そして、このシート材１０に、シート材１０の中央部を挟んで略平行に２列となる配置で、布地で出来た帯状体１１を一体に縫い付けている。この帯状体１１にも、また、布地以外の可撓性を有する材料を使用してもよい。そして、その２列の帯状体１１は、列方向の両端側でシート材１０の周縁部への縫い付け位置（取り付け位置）の外方へ略同寸法延びて閉じた輪となり、両端側に腕が楽に通る程度の持ち手１２ａ，１２ｂを形成する。
【００１１】
そして、シート材１０の周縁部には、周縁部を絞ってシート材１０を袋状にするための締め部材を装着する絞り部として、環状に折り返し部１３が設けられている。折り返し部１３には、周縁部を絞って締めるための絞り部材としてゴム紐１４を通す。ゴム紐１４は図示のように両端を結んでもよいし、ストッパーでつないでもよい。
【００１２】
そして、帯状体１１には、その２列の各列の両端側のシート材１０の周縁部への取付け位置近傍の各１箇所に、係止具としてスナップ１ａ，１ｂ，２ａ，２ｂが取り付けられ、それら周縁部への取付け位置近傍の各１箇所に間隔（等間隔）をおいて隣接する列方向内側の各１箇所に、係止具としてスナップ３ｂ，４ｂ，５ｂ，６ｂが取り付けられ、また、帯状体１１の各列の中央部の相互に間隔をおいて隣接する各２箇所に、係止具としてスナップ３ａ，４ａ，５ａ，６ａが取り付けられている。
【００１３】
これらのスナップ１ａ，１ｂ，２ａ，２ｂ，３ａ，３ｂ，４ａ，４ｂ，５ａ，５ｂ，６ａ，６ｂは、帯状体の各列の両端側のシート材の周縁部への取付け位置近傍の各１箇所のスナップ１ａ，１ｂおよびスナップ２ａ，２ｂを列毎に相互に係止させるよう、各列の一方のスナップ１ａ，２ａを凸型とし、他方のスナップ１ｂ、２ｂが凹型とし、列方向内側の各１箇所のスナップ３ｂ，４ｂ，５ｂ，６ｂを列毎に各列の中央部の各２箇所のスナップ３ａ，４ａ，５ａ，６ａの内の同じ側のスナップと相互に係止させるよう、列方向内側の各１箇所のスナップ３ｂ，４ｂ，５ｂ，６ｂを凹型とし、各列の中央部の各２箇所のスナップ３ａ，４ａ，５ａ，６ａを凸型としている。凹凸はそれぞれの組み合わせにおいて適宜入れ替え可能である。また、係止具として、これらスナップ１ａ，１ｂ，２ａ，２ｂ，３ａ，３ｂ，４ａ，４ｂ，５ａ，５ｂ，６ａ，６ｂの代わりに、マジックテープ（登録商標）等を使用してもよい。
【００１４】
この買い物袋は、スナップ１ａ，１ｂ，２ａ，２ｂ，３ａ，３ｂ，４ａ，４ｂ，５ａ，５ｂ，６ａ，６ｂの係止を解いた状態では、図２に示すように袋状である。図２において、二点鎖線は、ゴム紐１４を通す前のシート材１０を裏返した状態を示している。
【００１５】
そして、この買い物袋は、図３に示すように、帯状体１１の各列の両端側のシート材１０の周縁部への取付け位置近傍のスナップ１ａとスナップ１ｂ、スナップ２ａとスナップ２ｂとを相互に係止させ、列方向内側のスナップ３ｂ，４ｂ，５ｂ，６ｂを列毎に各列の中央部の各２箇所のスナップ３ａ，４ａ，５ａ，６ａの内の同じ側のスナップと、つまり、スナップ３ｂをスナップ３ａと、スナップ４ｂをスナップ４ａと、スナップ５ｂをスナップ５ａと、スナップ６ｂをスナップ６ａと相互に係止させることによってバッグ状となる。図３において、二点鎖線は、図２に示す袋状の時の外形を示している。
【００１６】
そして、持ち手１２ａ、１２ｂを持って下げると、図４に示すようにたたんだ形となって、ショッピングバッグのような感じになり、小さな所持物は中にいれることができ、そのまま下げて買い物に出掛けることができる。図４のようにバッグ状にたたんだ時の大きさは、例えば幅３０ｃｍ、高さ２３ｃｍ、厚さ２〜３ｃｍである。
【００１７】
そして、買い物をした後は、図２に示すように袋状に戻すと、大きく広げることができて、かなりの量の品物を入れることができ、様々な形の品物に対応でき、かなりの重量の品物を運ぶことができる。例えば、図５に示すように横広あるいは各辺が正方形の大きな品物（概略外形を二点鎖線で示している。）を入れることもでき、図６に示すように縦形の大きな品物（概略外形を二点鎖線で示している。）を入れることもできる。横広の品物は、例えば幅５０ｃｍ、高さ２０ｃｍ、厚さ３０ｃｍ程度のものまで入れることができ、各辺正方形の品物は、例えば幅３０ｃｍ、高さ３０ｃｍ、厚さ３０ｃｍ程度のものまで入れることができる。また、縦形では、例えば一升瓶２本程度まで入れることができる。ケーキや和生菓子、フルーツの盛り合わせ等、横積みでないと形が崩れてしまうような物にも大変重宝である。
【００１８】
また、この買い物袋は、買い物を済ませてレジする時に、図７に示すように大きく広げてレジのかご（概略外形を二点鎖線で示している。）に上から被せるようにすることができ、そうすることで、中身の品物を移し変える必要が無くなり、大変効率が良くなる。この点も大きな利点である。
【００１９】
この買い物袋は、バッグ状にたたんだ時の形を整えるためと飾りを兼ね、また、袋状にして品物を入れた時の開きすぎ防止と飾りを兼ねて、図示のように帯状体１１に例えば一対の小さな紐２１，２２を付けて、リボンのように結ぶようにすることができ、また、袋状にして品物を入れた状態で口が開きすぎの時に閉じれるように、シート材１０の周縁部の持ち手１２ａ，１２ｂの内側となる部分に例えば一対の小さな紐２３，２４（ボタンでもよい。）を付けることもできるなど、様々な態様が可能である。
【図面の簡単な説明】
【００２０】
【図１】本発明の実施形態の買い物袋の表面側の展開図である。
【図２】本発明の実施形態の買い物袋の不使用状態の平面図である。
【図３】本発明の実施形態の買い物袋のバッグ状にたたんで置いた状態の平面図である。
【図４】本発明の実施形態の買い物袋をバッグ状にたたんで下げた状態の斜視図である。
【図５】本発明の実施形態の買い物袋に横広の大きな品物を入れた状態の斜視図である。
【図６】本発明の実施形態の買い物袋に縦形の大きな品物を入れた状態の斜視図である。
【図７】本発明の実施形態の買い物袋をレジのかごに被せた状態の斜視図である。
【符号の説明】
【００２１】
１０  シート材
１１  帯状体
１２ａ、１２ｂ  持ち手
１３  折り返し部
１４  ゴム紐（絞り部材）
１ａ、１ｂ  スナップ（係止具）
２ａ、２ｂ  スナップ（係止具）
３ａ、３ｂ  スナップ（係止具）
４ａ、４ｂ  スナップ（係止具）
５ａ、５ｂ  スナップ（係止具）
６ａ、６ｂ  スナップ（係止具）
２１、２２  小さな紐
２３、２４  小さな紐
【図１】
0005178210.tif 000002
【図２】
0005178210.tif 000003
【図３】
0005178210.tif 000004
【図４】
0005178210.tif 000005
【図５】
0005178210.tif 000006
【図６】
0005178210.tif 000007
【図７】
0005178210.tif 000008